Podtech/llm-jp-corpus-v4-ja_patent huggingface dataset:
【手続補正書】
【提出日】令和3年7月1日(2021.7.1)
【手続補正１】
【補正対象書類名】明細書
【補正対象項目名】００４０
【補正方法】変更
【補正の内容】
【００４０】
無線通信部１０６は、アンテナ１０７を介して脈波測定装置２０へ信号を送信する要素である。無線通信部１０６は、送信部の一例である。例えば、無線通信部１０６は、無線通信のためのインタフェースを含む。無線通信部１０６は、ＭＰＵ１０１からの指示に基づいて信号を送信する。無線通信部１０６は、ＭＰＵ１０１の制御により、電力供給される状態または電力供給されない状態の何れかの状態にある。これに代えて、無線通信部１０６は、ＭＰＵ１０１の制御により、高い電力が供給される状態または低い電力が供給される状態の何れかの状態にあってもよい。信号は、固体識別番号を含む。固体識別番号は、ＥＣＧ測定装置１０を識別する情報である。無線通信の規格は任意の規格であってよく、限定されない。
【手続補正２】
【補正対象書類名】明細書
【補正対象項目名】００５２
【補正方法】変更
【補正の内容】
【００５２】
脈波センサ２０４は、脈波を測定するセンサである。脈波センサ２０４は、人体の所定の位置に配置される。脈波センサ２０４が配置される位置は、人体の手首近傍であってもよく、限定されない。脈波センサ２０４は、測定部の一例である。
【手続補正３】
【補正対象書類名】明細書
【補正対象項目名】００６８
【補正方法】変更
【補正の内容】
【００６８】
さらに、算出部２０１５は、第１の期間と第４の期間との時間差に基づいてＰＴＴを算出する。ＰＴＴは、第１の基準時刻と第２の基準時刻との間隔に基づいているが、第１の期間と第４の期間との時間差は、第１の基準時刻と第２の基準時刻との間隔に相当する。なお、第１の期間の長さを示す情報は、メモリ２０２に予め記憶されていてもよい。これに代えて、第１の期間の長さを示す情報は、無線通信部２０６からの信号に含まれていてもよい。このように、算出部２０１５は、ＥＣＧ測定装置１０と脈波測定装置２０との間で第１の基準時刻を示す情報を共有しなくても、予め決められた第１の期間及び脈波測定装置２０で測定される第４の期間に基づいてＰＴＴを算出することができる。
【手続補正４】
【補正対象書類名】明細書
【補正対象項目名】００８２
【補正方法】変更
【補正の内容】
【００８２】
Ｓｔｅｐ２０２で説明したように、設定部２０１２が第２の基準時刻を設定するまで、無線通信部２０６は、受信不可状態を維持する。つまり、設定部２０１２が第２の基準時刻を設定しなければ、無線通信部２０６は、受信不可状態から受信待機状態へ移行することはない。脈波測定装置２０は、不確実な第２の特徴量の検出に基づく受信不可状態から受信待機状態への移行を無効にすることができる。これにより、脈波測定装置２０は、ＥＣＧ測定装置１０からの信号の受信を回避し、ＰＴＴの測定精度の低下を防止することができる。さらに、無線通信部２０６は不必要に受信不可状態から受信待機状態へ移行しないので、脈波測定装置２０は、消費電力を抑えることができる。
【手続補正５】
【補正対象書類名】明細書
【補正対象項目名】００９９
【補正方法】変更
【補正の内容】
【００９９】
§５  変形例  
５−１  変形例１  
上述の本実施形態では、ＥＣＧ測定装置１０が脈波測定装置２０に対して信号を送信する例を説明したが、これに限定されない。脈波測定装置２０が信号を送信する送信装置であり、ＥＣＧ測定装置１０が信号を受信する受信装置であってもよい。なお、ＰＴＴを測定する生体データ測定システム１は、ＥＣＧ測定装置１０と１つの脈波測定装置に代えて、２つの脈波測定装置で構成されていてもよい。この場合、一方の脈波測定装置が信号を送信する送信装置であり、他方の脈波測定装置が信号を受信する受信装置である。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
複数の選択肢が示される選択前段階を経て、いずれかの選択肢が自動的に選ばれる選択演出を実行することが可能な遊技機であって、
前記選択前段階は、複数の選択肢のうちの一つが他の選択肢よりも強調された強調態様とされ、それ以外の選択肢が通常態様とされるものであり、当該強調態様とされる一つの選択肢が経時的に切り替わっていくようにされることで、いずれか一つの選択肢が選択される結果に至るであろうことを示唆する段階であり、
前記選択演出の結果として、
複数の選択肢のうちの一つが前記強調態様とされ、当該強調態様とされた一つの選択肢が選択されたことを示す通常結果と、
複数の選択肢のうちの二つ以上が前記強調態様とされ、当該強調態様とされた二つ以上の選択肢が選択されたことを示す特殊結果と、
が発生しうることを特徴とする遊技機。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
遊技を行う遊技機において、
表示領域に画像を表示する表示手段と、
画像データを記憶する記憶手段と、
所定状態と特定状態とを含む複数の状態に制御可能な状態制御手段と、を備え、
前記特定状態は、第１特定状態と第２特定状態とを含み、
前記所定状態において、前記表示領域の略全域に前記所定状態に応じた画像が表示され、
前記第１特定状態において、前記表示領域の略全域に背景画像が表示されるとともに、前記背景画像が表示される領域の一部に重畳して設定された演出領域に前記第１特定状態に応じた第１特定画像が表示され、
前記第２特定状態において、前記表示領域の略全域に前記第１特定状態と共通する前記背景画像が表示されるとともに、前記背景画像が表示される領域の一部に重畳して設定された演出領域に前記第２特定状態に応じた第２特定画像が表示され、
前記第１特定画像は、所定時間に亘る動画を再生表示することで表示され、
前記第２特定画像は、特定時間に亘る動画を再生表示することで表示され、
前記背景画像は、前記所定時間よりも短い時間に亘る動画を少なくとも前記所定時間に亘って繰り返し再生表示することで表示され、
前記第１特定状態において、前記表示領域の略全域で前記背景画像の表示に用いられる画像の画素数は、前記演出領域で前記第１特定画像の表示に用いられる画像の画素数よりも小さく、
前記第２特定状態において、前記表示領域の略全域で前記背景画像の表示に用いられる画像の画素数は、前記演出領域で前記第２特定画像の表示に用いられる画像の画素数よりも小さい、遊技機。
【手続補正２】
【補正対象書類名】明細書
【補正対象項目名】０００７
【補正方法】変更
【補正の内容】
【０００７】
（Ａ）  遊技を行う遊技機において、
表示領域に画像を表示する表示手段と、
画像データを記憶する記憶手段と、
所定状態と特定状態とを含む複数の状態に制御可能な状態制御手段と、を備え、
前記特定状態は、第１特定状態と第２特定状態とを含み、
前記所定状態において、前記表示領域の略全域に前記所定状態に応じた画像が表示され、
前記第１特定状態において、前記表示領域の略全域に背景画像が表示されるとともに、前記背景画像が表示される領域の一部に重畳して設定された演出領域に前記第１特定状態に応じた第１特定画像が表示され、
前記第２特定状態において、前記表示領域の略全域に前記第１特定状態と共通する前記背景画像が表示されるとともに、前記背景画像が表示される領域の一部に重畳して設定された演出領域に前記第２特定状態に応じた第２特定画像が表示され、
前記第１特定画像は、所定時間に亘る動画を再生表示することで表示され、
前記第２特定画像は、特定時間に亘る動画を再生表示することで表示され、
前記背景画像は、前記所定時間よりも短い時間に亘る動画を少なくとも前記所定時間に亘って繰り返し再生表示することで表示され、
前記第１特定状態において、前記表示領域の略全域で前記背景画像の表示に用いられる画像の画素数は、前記演出領域で前記第１特定画像の表示に用いられる画像の画素数よりも小さく、
前記第２特定状態において、前記表示領域の略全域で前記背景画像の表示に用いられる画像の画素数は、前記演出領域で前記第２特定画像の表示に用いられる画像の画素数よりも小さい。
（１）  遊技を行う遊技機（たとえば、スロットマシンやパチンコ遊技機で例示される遊技機１）において、
表示領域（たとえば、液晶表示器５１の画面全体）に画像を表示する表示手段（たとえば、液晶表示器５１）と、
画像データ（たとえば、図４（Ａ）に示される各画像のデータ）を記憶する記憶手段（たとえば、ＲＯＭ９１ｂ）と、
通常状態（たとえば、非ボーナス中）と特定状態（たとえば、ボーナス中）とを含む複数の状態に制御可能な状態制御手段（たとえば、メイン制御部４１が状態を制御する処理）とを備え、
前記表示手段は、
前記通常状態において、前記表示領域の略全域に前記通常状態に応じた画像（たとえば、通常画像Ａ３１，常駐画像Ａ４１〜Ａ４３）を表示し、
前記特定状態において、前記表示領域の略全域に前記特定状態に応じた背景画像（たとえば、背景画像Ａ２１，常駐画像Ａ４１，Ａ４２）を表示するとともに、前記背景画像が表示される領域の一部に重畳して設定された演出領域（たとえば、図２（Ａ）に示す演出領域）に前記特定状態に応じた特定画像（たとえば、特定画像Ａ１１）を表示し（たとえば、図３（ｂ１）に示すように、特定状態において、表示領域（背景領域）に特定状態に応じた背景画像Ａ２１，常駐画像Ａ４１，Ａ４２が表示されるとともに、背景画像が表示される表示領域の一部の前面側に設定された演出領域に特定状態に応じた特定画像Ａ１１が表示される）、
前記特定画像は、所定時間（たとえば、Ｂ１１秒）に亘る動画を再生表示すること（たとえば、図４（Ｃ）に示すように、特定画像Ａ１１を用いてＢ１１秒に亘る動画を再生表示すること）で表示され、
前記背景画像は、前記所定時間よりも短い時間（たとえば、Ｂ２１秒）に亘る動画を繰り返し再生表示すること（たとえば、図４（Ｃ）に示すように、背景画像Ａ２１を用いてＢ１１秒よりも短いＢ２１秒に亘る動画を、Ｂ１１秒内において繰り返し再生表示すること）で表示され、
前記特定状態において、前記背景画像の表示に用いられる背景画像データ（たとえば、背景画像Ａ２１，常駐画像Ａ４１，Ａ４２のデータ）のデータ容量は、前記特定画像の表示に用いられる特定画像データ（たとえば、特定画像Ａ１１データ）のデータ容量よりも小さい（たとえば、図４（Ｃ）に示すように、背景画像Ａ２１および常駐画像Ａ４１，Ａ４２のデータ容量（Ｃ２１＋Ｃ４１＋Ｃ４２）は、特定画像Ａ１１のデータ容量（Ｃ１１）よりも小さい）。
【手続補正書】
【提出日】令和3年7月19日(2021.7.19)
【手続補正１】
【補正対象書類名】特許請求の範囲
【補正対象項目名】請求項１
【補正方法】変更
【補正の内容】
【請求項１】
遊技区間として、通常区間と有利区間とを有し、
通常区間では、所定の遊技状態となる場合を有しておらず、
有利区間では、所定の遊技状態となる場合を有し、
有利区間における遊技の実行に応じて更新可能な値を記憶可能な第１記憶手段と、
有利区間における総差数に関する値を記憶可能な第２記憶手段と、
所定の遊技状態に関する値を記憶可能な第３記憶手段とを備え、
有利区間の所定の遊技において、所定の遊技における差数に関する値（「差数に関する値」とは、１遊技における遊技媒体の付与数から遊技媒体のベット数を減算した値とする。以下同じ。）と第２記憶手段に記憶されている総差数に関する値とを加算した結果が正の値のときは、所定の遊技における差数に関する値に基づいて第２記憶手段に記憶されている総差数に関する値を更新可能とし、
有利区間の特定の遊技において、特定の遊技における差数に関する値と第２記憶手段に記憶されている総差数に関する値とを加算した結果が負の値のときは、第２記憶手段に規定値を記憶可能とし、
有利区間における遊技の実行に応じて更新された値が有利区間の終了条件を満たした場合は、有利区間を終了可能とし、
有利区間における総差数に関する値が有利区間の終了条件を満たした場合は、有利区間を終了可能とし、
有利区間の遊技において、リプレイに対応する図柄組合せが停止表示した場合は、遊技媒体の付与数と遊技媒体のベット数を用いて第２記憶手段に記憶されている総差数に関する値は更新しないが、有利区間における総差数に関する値が有利区間の終了条件を満たしたか否かの判定は行い、
所定の遊技状態において、ベット数が第１の値のときは、第１記憶手段に記憶されている値を更新可能とし、
所定の遊技状態において、ベット数が第１の値のときは、第２記憶手段に記憶されている値を更新可能とし、
所定の遊技状態において、ベット数が第１の値のときは、第３記憶手段に記憶されている値を更新可能とし、
所定の遊技状態において、ベット数が第２の値のときは、第１記憶手段に記憶されている値を更新可能とし、
所定の遊技状態において、ベット数が第２の値のときは、第２記憶手段に記憶されている値を更新可能とし、
所定の遊技状態において、ベット数が第２の値のときは、第３記憶手段に記憶されている値を更新せず、
有利区間における遊技の実行に応じて更新された値が有利区間の終了条件を満たした場合は、第２記憶手段に記憶されている総差数に関する値を更新することなく、有利区間を終了可能とする
ことを特徴とする遊技機。
【手続補正２】
【補正対象書類名】明細書
【補正対象項目名】０００４
【補正方法】変更
【補正の内容】
【０００４】
しかし、前述の従来の技術において、有利区間を最大で１５００遊技又は払出し３０００枚に設定すると、有利区間やＡＴが画一的なものとなってしまう。
本発明が解決しようとする課題は、最大で１５００遊技又は払出し３０００枚にとらわれないで有利区間を終了可能とすることである。
【手続補正３】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技区間として、通常区間と有利区間とを有し、
通常区間では、所定の遊技状態（ＡＴ）となる場合を有しておらず、
有利区間では、所定の遊技状態となる場合を有し、
有利区間における遊技の実行に応じて更新可能な値を記憶可能な第１記憶手段（有利区間クリアカウンタ）と、
有利区間における総差数に関する値を記憶可能な第２記憶手段（差数カウンタ）と、
所定の遊技状態に関する値を記憶可能な第３記憶手段（ＡＴカウンタ）とを備え、
有利区間の所定の遊技において、所定の遊技における差数に関する値（「差数に関する値」とは、１遊技における遊技媒体の付与数から遊技媒体のベット数を減算した値とする。以下同じ。）と第２記憶手段に記憶されている総差数に関する値とを加算した結果が正の値のときは、所定の遊技における差数に関する値に基づいて第２記憶手段に記憶されている総差数に関する値を更新可能とし、
有利区間の特定の遊技において、特定の遊技における差数に関する値と第２記憶手段に記憶されている総差数に関する値とを加算した結果が負の値のときは、第２記憶手段に規定値（０（Ｈ））を記憶可能とし、
有利区間における遊技の実行に応じて更新された値が有利区間の終了条件を満たした場合（有利区間クリアカウンタが「１」から「０」になったとき）は、有利区間を終了可能とし（図３０６中、ステップＳ２９３６におけるＲＷＭ初期化を実行し）、
有利区間における総差数に関する値が有利区間の終了条件を満たした場合（差数カウンタ値が「２４００」を超えたとき）は、有利区間を終了可能とし、
有利区間の遊技において、リプレイに対応する図柄組合せが停止表示した場合は、遊技媒体の付与数と遊技媒体のベット数を用いて第２記憶手段に記憶されている総差数に関する値は更新しないが、有利区間における総差数に関する値が有利区間の終了条件を満たしたか否かの判定は行い（図３０６中、ステップＳ２９２９で「Ｙｅｓ」のときは、ステップＳ２９３４の処理を実行せず）、
所定の遊技状態において、ベット数が第１の値（「３」）のときは、第１記憶手段に記憶されている値を更新可能とし、
所定の遊技状態において、ベット数が第１の値のときは、第２記憶手段に記憶されている値を更新可能とし、
所定の遊技状態において、ベット数が第１の値のときは、第３記憶手段に記憶されている値を更新可能とし、
所定の遊技状態において、ベット数が第２の値（「３」以外）のときは、第１記憶手段に記憶されている値を更新可能とし、
所定の遊技状態において、ベット数が第２の値のときは、第２記憶手段に記憶されている値を更新可能とし、
所定の遊技状態において、ベット数が第２の値のときは、第３記憶手段に記憶されている値を更新せず、
有利区間における遊技の実行に応じて更新された値が有利区間の終了条件を満たした場合は、第２記憶手段に記憶されている総差数に関する値を更新することなく、有利区間の終了処理を実行可能とする（図３０６において、ステップＳ２９２４で「Ｙｅｓ」のときは、ステップＳ２９３４の処理を実行しない）
ことを特徴とする。
【手続補正４】
【補正対象書類名】明細書
【補正対象項目名】０００６
【補正方法】変更
【補正の内容】
【０００６】
本発明によれば、総差数に関する値に基づいて有利区間を終了可能であるので、「遊技区間の遊技回数が所定の上限遊技回数（たとえば１５００遊技）に到達したとき又は有利区間中の払出し数が所定数（たとえば３０００枚）に到達したとき」という終了条件にとらわれないで有利区間を終了することが可能となる。
また、有利区間における総差数に関する値を、規定値を基準として更新することが可能となる。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
設定値に応じた特定制御を実行可能であり、遊技用装置から出力される信号を受信可能な遊技機であって、
特別識別情報の可変表示を行い、遊技の進行を制御する遊技制御手段と、
前記遊技制御手段によって制御され、特別識別情報の可変表示結果を表示可能な特別表示手段と、
前記遊技用装置から出力される信号に基づいて遊技価値を付与可能な付与手段と、
前記設定値の設定を許可するための設定許可状態に制御可能な設定許可状態制御手段と、を備え、
前記設定許可状態に制御されているときに、前記遊技用装置から出力される信号に基づく遊技媒体の付与が可能であり、
前記設定許可状態に制御されているときに特別識別情報の可変表示を実行せず、
前記設定許可状態に制御されているときに前記特別表示手段の表示態様を特別識別情報の可変表示結果を示す表示態様と異なる表示態様とする、
ことを特徴とする遊技機。
【手続補正２】
【補正対象書類名】明細書
【補正対象項目名】０００２
【補正方法】変更
【補正の内容】
【０００２】
特許文献１に示すように、複数段階の設定値を外部からの設定変更操作に基づいて変更する設定変更手段を備える遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報（段落０００７）
【手続補正４】
【補正対象書類名】明細書
【補正対象項目名】０００４
【補正方法】変更
【補正の内容】
【０００４】
特許文献１に記載されたような遊技機では、設定値の設定に関する制御を適正化する必要がある。
【手続補正５】
【補正対象書類名】明細書
【補正対象項目名】０００５
【補正方法】変更
【補正の内容】
【０００５】
この発明は、上記の実状に鑑みてなされたものであり、設定値の設定に関する制御を適正化することを目的とする。
【手続補正６】
【補正対象書類名】明細書
【補正対象項目名】０００６
【補正方法】変更
【補正の内容】
【０００６】
手段Ａの遊技機は、
設定値に応じた特定制御を実行可能であり、遊技用装置から出力される信号を受信可能な遊技機であって、
特別識別情報の可変表示を行い、遊技の進行を制御する遊技制御手段と、
前記遊技制御手段によって制御され、特別識別情報の可変表示結果を表示可能な特別表示手段と、
前記遊技用装置から出力される信号に基づいて遊技価値を付与可能な付与手段と、
前記設定値の設定を許可するための設定許可状態に制御可能な設定許可状態制御手段と、を備え、
前記設定許可状態に制御されているときに、前記遊技用装置から出力される信号に基づく遊技媒体の付与が可能であり、
前記設定許可状態に制御されているときに特別識別情報の可変表示を実行せず、
前記設定許可状態に制御されているときに前記特別表示手段の表示態様を特別識別情報の可変表示結果を示す表示態様と異なる表示態様とする（段落０９８５、図９−３１等）。
また、手段Ｊ１に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図８−２（Ｄ）、（Ｆ））。
このような構成によれば、演出効果を高めることができる。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
表示領域を有する表示装置と、
当否判定結果が当たりとなったときに所定の入賞領域である特定領域に遊技球が入賞可能となる当たり遊技を実行する当たり遊技実行手段と、
を備え、
前記当たり遊技は、前記特定領域が開放される一または複数の単位遊技を含み、当該単位遊技は前記特定領域にＮ個の遊技球が入賞したことを契機として終了するものであり、
一の前記単位遊技においてＮ個までの遊技球が前記特定領域に入賞することを契機として払い出された遊技球数である特定利益と、それ以外の入賞を契機として払い出された遊技球数である付加利益とが別に表示されることを特徴とする遊技機。
【請求項２】
前記付加利益は、一の前記単位遊技においてＮ＋１個以降の遊技球が前記特定領域に入賞することで得られた利益である超過利益を含むことを特徴とする請求項１に記載の遊技機。
【手続補正書】
【提出日】令和3年7月5日(2021.7.5)
【手続補正１】
【補正対象書類名】特許請求の範囲
【補正対象項目名】請求項８
【補正方法】変更
【補正の内容】
【請求項８】
装置本体に接続され、第１の流体が配される内部空間を有する袋体を備え、生体に巻き付けられる、カフと、
第１の流体が通る第１流路を構成し、一端側が前記袋体に接続され、他端側が前記装置本体に接続される、第１のチューブと、
前記第１のチューブ内の前記第１流路に配され、第２の流体が通る第２流路を構成する第２のチューブと、
前記第２のチューブの一端側に設けられ、前記第２の流体を収容するとともに、前記カフに取付けられる、水頭圧袋と、
前記第２のチューブの他端側に設けられ、前記第２の流体の圧力を検出する水頭圧センサと、を備えるカフユニット。
【手続補正２】
【補正対象書類名】明細書
【補正対象項目名】０００８
【補正方法】変更
【補正の内容】
【０００８】
一態様によれば、第１の流体が配される内部空間を有する袋体を備え、生体に巻き付けられる、カフと、前記袋体の前記内部空間に連通する流路の前記第１の流体の圧力を検出する圧力センサを備える装置本体と、第１の流体が通る第１流路を構成し、一端側が前記袋体に接続され、他端側が前記装置本体に接続される、第１のチューブと、前記第１のチューブ内の前記第１流路に配され、第２の流体が通る第２流路を構成する第２のチューブと、前記第２のチューブの一端側に設けられ、第２の流体を収容するとともに、前記カフに取付けられる、水頭圧袋と、前記第２のチューブの他端側に設けられ、前記第２の流体の圧力を検出する水頭圧センサと、を備える血圧測定装置が提供される。
【手続補正３】
【補正対象書類名】明細書
【補正対象項目名】００４８
【補正方法】変更
【補正の内容】
【００４８】
接続ユニット５０は、第１のチューブであるカフ配管５１と、第２のチューブである水頭圧管５２と、を有するチューブユニット５３と、チューブユニット５３の一端側に設けられる第１コネクタ５４と、第１コネクタ５４の内部に収容された水頭圧袋５５と、チューブユニット５３の他端側に設けられた第２コネクタ５６と、第２コネクタ５６内に収容される水頭圧センサ５７と、を備える。
【手続補正４】
【補正対象書類名】明細書
【補正対象項目名】００６４
【補正方法】変更
【補正の内容】
【００６４】
第４のチューブ孔５６ｄは第２の接続管部５１ｂの外径と同等の内径を有する円形の孔部であり、第４のチューブ孔５６ｄにカフ配管５１の他端側の第２の接続管部５１ｂが挿入され、接続される。また、第５のチューブ孔５６ｅ及び第６のチューブ孔５６ｆは水頭圧管５２の外径と同等の内径を有し、これら第４のチューブ孔５６ｄ及び第５のチューブ孔５６ｅを通って水頭圧管５２が第４ケース体５６ｂ内に至る。
【手続補正５】
【補正対象書類名】明細書
【補正対象項目名】００７４
【補正方法】変更
【補正の内容】
【００７４】
１…血圧測定装置
１０…カフユニット
１１…カフ
１４…袋状カバー体
１５…空気袋
２０…装置本体
２１…ハウジング
２１ａ…プラグ孔
２１ｂ…端子接続部
２１ｃ…接続部
２２…ポンプ
２３…開閉弁
２４…圧力センサ
２７…電力供給部
２８…制御基板
２９…操作部
３１…表示部
４１…通信部
４２…記憶部
４３…制御部
５０…接続ユニット
５１…カフ配管
５２…水頭圧管
５３…チューブユニット
５４…第１コネクタ
５４ａ…第１ケース体
５４ｂ…第２ケース体
５４ｃ…第１のエアプラグ
５４ｄ…第１のチューブ孔
５４ｅ…第２のチューブ孔
５４ｆ…第３のチューブ孔
５５…水頭圧袋
５５ａ…バッグ部
５５ｂ…凸部
５５ｃ…継手部
５６…第２コネクタ
５６ａ…第３ケース体
５６ｂ…第４ケース体
５６ｃ…第２のエアプラグ
５６ｄ…第４のチューブ孔
５６ｅ…第５のチューブ孔
５６ｆ…第６のチューブ孔
５６ｇ…孔部
５７…水頭圧センサ
５７ａ…通信端子
１００…被測定者
１０１…生体
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
表示領域を有する表示装置と、
前記表示領域に基準画像が表示された第一状態から、当該表示領域に対して当該基準画像がずれたかのように表示された第二状態に変化する画像変位演出を実行する演出実行手段と、
当否判定に用いられる情報であって、対応する当否判定結果の報知が未だ完了していない保留情報を記憶する記憶手段を備え、
を備え、
前記画像変位演出において、前記第一状態にあるときに前記保留情報の存在を示す一または複数の保留画像が表示されている場合、当該第一状態から前記第二状態に変化したときであっても前記表示領域に対する当該一または複数の保留画像のうちの少なくとも一部が表示される位置は維持されることを特徴とする遊技機。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
表示領域を有する表示装置と、
前後方向において前記表示領域の一部に前側で重なる装飾部材と、
前記表示領域に基準画像が表示された第一状態から、当該表示領域に対して当該基準画像がずれたかのように表示された第二状態に変化する画像変位演出を実行する演出実行手段と、
を備え、
前記表示領域は、前後方向において前記装飾部材が重なる重畳領域と、前記装飾部材が重ならない露出領域とに区分けされ、
前記画像変位演出の前記第一状態において、前記基準画像は前記重畳領域に表示される重畳部を含み、
前記画像変位演出の前記第二状態において、前記第一状態では前記重畳部であった部分の少なくとも一部が、前記露出領域に表示された態様となる
ことを特徴とする遊技機。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段を備え、前記ゲームの結果が特別結果となる場合に、遊技者にとって有利な特別遊技状態を発生可能な遊技機において、
遊技に関する設定に応じた設定値を設定可能な設定手段を備え、
前記遊技制御手段は、
前記設定値を設定可能な設定可能状態と、前記設定値を確認可能な設定確認状態と、に移行することが可能であり、
前記特別遊技状態の発生を契機に信号を出力可能であり、
前記特別遊技状態の発生中に停電が発生した後、復電して前記設定可能状態とされた際に、セキュリティ信号を出力し、前記信号を出力しないことを特徴とする遊技機。
【手続補正２】
【補正対象書類名】明細書
【補正対象項目名】０００５
【補正方法】変更
【補正の内容】
【０００５】
しかしながら、従来の遊技機において、特別遊技状態の発生中に停電が発生した後、復電された際の再起動処理中に、不正が行われた際の対策には向上の余地があった。
【手続補正３】
【補正対象書類名】明細書
【補正対象項目名】０００６
【補正方法】変更
【補正の内容】
【０００６】
そこで、本発明は、復電された際における遊技機に対する不正を報知することを目的とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明の代表的な一形態では、ゲームを実行可能な遊技制御手段を備え、前記ゲームの結果が特別結果となる場合に、遊技者にとって有利な特別遊技状態を発生可能な遊技機において、遊技に関する設定に応じた設定値を設定可能な設定手段を備え、前記遊技制御手段は、前記設定値を設定可能な設定可能状態と、前記設定値を確認可能な設定確認状態と、に移行することが可能であり、前記特別遊技状態の発生を契機に信号を出力可能であり、前記特別遊技状態の発生中に停電が発生した後、復電して前記設定可能状態とされた際に、セキュリティ信号を出力し、前記信号を出力しない。
【手続補正６】
【補正対象書類名】明細書
【補正対象項目名】０００９
【補正方法】変更
【補正の内容】
【０００９】
本発明の一形態によれば、復電された際における遊技機に対する不正を報知することができる。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、
遊技を制御する遊技制御手段と、
設定値を設定するための設定許可状態に制御可能な設定手段と、
前記遊技制御手段により制御され、発光態様により可変表示の表示結果を示す複数の所定発光手段と、
前記遊技制御手段により制御され、発光態様により遊技状態が所定状態と該所定状態よりも有利な特別状態とのいずれかであることを示す特別発光手段と、を備え、
前記複数の所定発光手段は、
電断復旧がされた場合、該電断復旧前に示していた可変表示の表示結果を示す発光態様となり、
前記設定許可状態において通常遊技中に用いられない発光態様となり、
前記設定許可状態の終了後において、電断される前の遊技状態が前記所定状態と前記特別状態とのいずれかの遊技状態に制御されていた場合であっても、前記複数の所定発光手段は、前記電断復旧後に示される可変表示の表示結果と共通の内容を示す発光態様となり、前記特別発光手段は、遊技状態が前記所定状態であることを示すときと共通の発光態様となる
ことを特徴とする遊技機。
【手続補正２】
【補正対象書類名】明細書
【補正対象項目名】０００２
【補正方法】変更
【補正の内容】
【０００２】
設定値を設定可能なパチンコ遊技機として、例えば、特許文献１に記載されているものが提案されている。特許文献１に記載の遊技機では、設定変更処理を行ったときに、設定値以外の記憶内容をクリアするようになっている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、設定変更時に保持されていた情報の扱いに関して改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定変更時に情報を好適に保持
して、設定変更の有無の判別を困難にした遊技機を提供することを目的とする。
【手続補正６】
【補正対象書類名】明細書
【補正対象項目名】０００６
【補正方法】変更
【補正の内容】
【０００６】
上記目的を達成するため、本願発明に係る遊技機は、
可変表示を行うことが可能な遊技機（例えばパチンコ遊技機１）であって、
遊技を制御する遊技制御手段（例えば遊技の進行を制御する処理を行うＣＰＵ１０３）と、
設定値（例えば設定値１〜３のいずれか）を設定するための設定許可状態に制御可能な設定手段（例えば設定変更処理を実行するＣＰＵ１０３）と、
前記遊技制御手段により制御され、発光態様により可変表示の表示結果を示す複数の所定発光手段（例えば第１特別図柄表示装置１０９ＡＫ４Ａを構成する複数のＬＥＤ）と、
前記遊技制御手段により制御され、発光態様により遊技状態が所定状態（例えば通常状態）と該所定状態よりも有利な特別状態（例えば確変状態）とのいずれかであることを示す特別発光手段（例えば確変状態表示器１０９ＡＫ０１３）と、を備え、
前記複数の所定発光手段は、
電断復旧がされた場合、該電断復旧前に示していた可変表示の表示結果を示す発光態様（例えば図２２−３、図２２−４）となり、
前記設定許可状態において通常遊技中に用いられない発光態様（例えば通常遊技中では表示されない点灯または点滅させる態様）となり、
前記設定許可状態の終了後において、電断される前の遊技状態が前記所定状態と前記特別状態とのいずれかの遊技状態に制御されていた場合であっても、前記複数の所定発光手段は、前記電断復旧後に示される可変表示の表示結果と共通の内容を示す発光態様（例えば図２２−６（Ｄ））となり、前記特別発光手段は、遊技状態が前記所定状態であることを示すときと共通の発光態様（例えば図２２−２、図２２−６（Ｄ））となる。
このような構成によれば、設定値の設定が行われたか否かの判別を困難にし、設定許可状態中であることを適切に知らせることができる。
また、上記目的を達成するため、他の遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な有利状態制御手段と、
設定値に応じて異なる割合により示唆演出を実行可能な示唆演出実行手段と、
遊技者の動作を検出可能な検出手段と、を備え、
前記示唆演出は、複数の選択肢が提示され、前記検出手段により遊技者の動作が検出されたことにもとづいていずれかの選択肢が選択される特定示唆演出と、設定されている設定値の特定度合いが高い第１示唆演出と、設定されている設定値の特定度合いが低い第２示唆演出と、を含み、
前記特定示唆演出は、設定値に応じて特定の選択肢が提示される割合が異なり、
前記特定の選択肢は、複数の設定値のうちのいずれの設定値に設定されているときに提示可能かつ選択可能な選択肢であり、
前記示唆演出実行手段は、電源投入時点から所定時点までの所定期間において、該所定期間とは異なる期間よりも高い割合で前記示唆演出を実行可能である、
ことを特徴とする遊技機。
【手続補正２】
【補正対象書類名】明細書
【補正対象項目名】０００２
【補正方法】変更
【補正の内容】
【０００２】
設定操作にもとづいて複数段階の設定値のうちのいずれかの設定値に設定可能に構成され、設定されている設定値にもとづいて有利状態の制御を実行可能に構成されたパチンコ遊技機として、例えば、特許文献１に記載されたものがある。特許文献１には、設定値にもとづく演出の表示制御を行い、キリン、ゾウ、ライオンの各キャラクタ画像を表示させることが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載されたような遊技機において、必ずしも遊技興趣を高めることはできない。
【手続補正５】
【補正対象書類名】明細書
【補正対象項目名】０００５
【補正方法】変更
【補正の内容】
【０００５】
この発明は、上記の実状に鑑みてなされたものであり、遊技興趣を向上させる遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な有利状態制御手段と、
設定値に応じて異なる割合により示唆演出を実行可能な示唆演出実行手段と、
遊技者の動作を検出可能な検出手段と、を備え、
前記示唆演出は、複数の選択肢が提示され、前記検出手段により遊技者の動作が検出されたことにもとづいていずれかの選択肢が選択される特定示唆演出と、設定されている設定値の特定度合いが高い第１示唆演出と、設定されている設定値の特定度合いが低い第２示唆演出と、を含み、
前記特定示唆演出は、設定値に応じて特定の選択肢が提示される割合が異なり、
前記特定の選択肢は、複数の設定値のうちのいずれの設定値に設定されているときに提示可能かつ選択可能な選択肢であり、
前記示唆演出実行手段は、電源投入時点から所定時点までの所定期間において、該所定期間とは異なる期間よりも高い割合で前記示唆演出を実行可能である、
この特徴によれば、遊技興趣を向上させることができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和3年6月16日(2021.6.16)
【手続補正１】
【補正対象書類名】明細書
【補正対象項目名】０００７
【補正方法】変更
【補正の内容】
【０００７】
この発明は、熱媒が流れる配管に固定される高温側面と、前記高温側面と反対側の低温側面とを有し、前記配管の高温側から低温側に沿って配置された複数の熱電変換モジュールと、前記複数の熱電変換モジュールの前記低温側面に固定された複数の冷却装置と、前記複数の冷却装置のそれぞれに通じる互いに独立した複数の空気路が形成された複合空気路体と、を備えた熱電発電ユニットにある。
また、この発明は、前記熱電発電ユニットを複数備えた熱電発電装置にある。
【手続補正２】
【補正対象書類名】特許請求の範囲
【補正対象項目名】全文
【補正方法】変更
【補正の内容】
【特許請求の範囲】
【請求項１】
熱媒が流れる配管に固定される高温側面と、前記高温側面と反対側の低温側面とを有し、前記配管の高温側から低温側に沿って配置された複数の熱電変換モジュールと、
前記複数の熱電変換モジュールの前記低温側面に各々固定された複数の冷却装置と、
前記複数の冷却装置のそれぞれに通じる互いに独立した複数の空気路が形成された複合空気路体と、
を備えた熱電発電ユニット。
【請求項２】
前記複合空気路体の前記複数の空気路は、前記高温側のフィンに対応する空気路の断面積よりも前記低温側のフィンに対応する空気路の断面積の方が大きい
請求項１に記載の熱電発電ユニット。
【請求項３】
前記複合空気路体の外形寸法を大きくすることなく、前記外形寸法の外形断面積に対する前記空気路の断面積の比率を変えた、請求項２に記載の熱電発電ユニット。
【請求項４】
前記複数の熱電変換モジュールは、直線上に順に並んだ第１から第３の熱電変換モジュールによる３つの熱電変換モジュールからなり、
前記複数の冷却装置は、前記第１から第３の熱電変換モジュールにそれぞれ固定された直線上に順に並んだ第１から第３の冷却装置による３つの冷却装置からなり、
前記複合空気路体の前記複数の空気路は、前記第１から第３の冷却装置を冷却するそれぞれ前記第１から第３の空気路による３つの空気路からなり、
前記第１の空気路は、前記第１の冷却装置側の端面に吸気口を有し、前記第１の冷却装置を収納し、前記第２および第３の空気路の下側を通って前記第３の冷却装置側の端面に排気口を有し、
前記第３の空気路は、前記第３の冷却装置の上部の面に吸気口を有し、前記第３の冷却装置を収納し、前記第３の冷却装置側の端面に排気口を有し、
前記第２の空気路は、前記第１の冷却装置側の端面に吸気口を有し、前記第１の空気路の側方を並行して延び、クランク状に折れ曲がって前記第２の冷却装置を収納し、前記第３の空気路の前記第１の空気路の側方の場合と反対側の側方を並行して延び、前記第３の冷却装置側の端面に排気口を有する、
請求項１から３までのいずれか１項に記載の熱電発電ユニット。
【請求項５】
前記複数の空気路は、前記複合空気路体の排気側の端面にそれぞれ排気口を有し、前記排気側の端面に前記複数の空気路で共有する排気用ファン部を設けた、請求項１から４までのいずれか１項に記載の熱電発電ユニット。
【請求項６】
内部に熱媒が流れる、長手方向と直交する断面が多角形である角柱形加熱用配管と、
請求項１から４までのいずれか１項に記載の熱電発電ユニットを、長手方向と直交する方向に複数並べて設け、さらに複数の前記熱電発電ユニットで共通の排気用ファン部を設けてなる、複数の熱電発電マルチユニットと、
を備え、
前記角柱形加熱用配管の少なくとも１つの側面に、前記角柱形加熱用配管の長手方向および長手方向と直交する方向の少なくとも一方に沿って、前記熱電発電マルチユニットを並べて設けられている熱電発電装置。
【請求項７】
前記各熱電発電マルチユニットは、前記角柱形加熱用配管の長手方向と直交する方向の周囲一周に渡って延びて、前記熱電変換モジュールおよび前記冷却装置を前記角柱形加熱用配管の側面に押さえつける固定金具で固定され、前記熱電発電マルチユニットは、前記各複合空気路体と前記熱電変換モジュール上の前記冷却装置との間に前記固定金具を通す隙間ができるように形成されている、請求項６に記載の熱電発電装置。
【請求項８】
内部に熱媒が流れる、長手方向と直交する断面が円形である円柱形加熱用配管と、
請求項１から５までのいずれか１項に記載の熱電発電ユニットと、
を備え、
前記円柱形加熱用配管の長手方向の少なくとも１箇所に、周面の周方向に沿って前記複数の熱電発電ユニットが並べて設けられている熱電発電装置。
【請求項９】
前記各熱電発電ユニットが、前記円柱形加熱用配管の長手方向と直交する方向の周囲一周に渡って延びて、前記熱電変換モジュールおよび前記冷却装置を前記円柱形加熱用配管の周面に押さえつける固定金具で固定され、前記熱電発電ユニットは、前記複合空気路体と前記熱電変換モジュール上の前記冷却装置との間に前記固定金具を通す隙間ができるように形成されている、請求項８に記載の熱電発電装置。
【請求項１０】
前記各熱電発電ユニットの空気路の内部における空気の進行方向を長手方向と規定したときに、前記長手方向と直交する方向における前記空気路の断面が、前記円柱形加熱用配管の径方向の内側に向かって幅が狭くなっている台形または三角形であり、前記熱電発電ユニットが、前記円柱形加熱用配管の周囲一周に渡って集積度を上げて設けられている、請求項８または９に記載の熱電発電装置。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
それぞれ一対の前柱と後柱および中間柱を有する筐体に遮断器ユニットおよび母線ユニットを収納したスイッチギヤであって、前記筐体は前記遮断器ユニットおよび前記母線ユニットを着脱作業する面側の柱の少なくとも一本が着脱自在に構成されていることを特徴とするスイッチギヤ。
【請求項２】
前記筐体は、前記遮断器ユニットおよび前記母線ユニットを着脱作業する面側の前柱および後柱が着脱自在に構成されていることを特徴とする請求項１に記載のスイッチギヤ。
【請求項３】
前記筐体は、前記遮断器ユニットおよび前記母線ユニットを着脱作業する面側の中間柱が着脱自在に構成されていることを特徴とする請求項１に記載のスイッチギヤ。
【請求項４】
前記母線ユニットは、前記遮断器ユニットとの接続部に対向する位置の側面部にスリットが形成されていることを特徴とする請求項１から３のいずれか一項に記載のスイッチギヤ。
【請求項５】
それぞれ一対の前柱と後柱および中間柱を有する筐体に遮断器ユニットと母線ユニットを収納したスイッチギヤの組立方法であって、前記遮断器ユニットおよび前記母線ユニットを着脱作業する面側の前記前柱および前記後柱が未取付の状態で前記筐体を組み立てる工程と、前記筐体に前記遮断器ユニットおよび前記母線ユニットを取付ける工程と、前記遮断器ユニットおよび前記母線ユニットの取付け完了後に前柱および後柱を取付ける工程とを備えていることを特徴とするスイッチギヤの組立方法。
【請求項６】
それぞれ一対の前柱と後柱および中間柱を有する筐体に遮断器ユニットと母線ユニットを収納したスイッチギヤの組立方法であって、前記遮断器ユニットおよび前記母線ユニットを着脱作業する面側の前記中間柱が未取付の状態で前記筐体を組み立てる工程と、前記筐体に前記遮断器ユニットおよび前記母線ユニットを取付ける工程と、前記遮断器ユニットおよび前記母線ユニットの取付け完了後に中間柱を取付ける工程とを備えていることを特徴とするスイッチギヤの組立方法。
【手続補正２】
【補正対象書類名】明細書
【補正対象項目名】０００６
【補正方法】変更
【補正の内容】
【０００６】
本願に開示されるスイッチギヤは、それぞれ一対の前柱と後柱および中間柱を有する筐体に遮断器ユニットおよび母線ユニットを収納したスイッチギヤであって、前記筐体は前記遮断器ユニットおよび前記母線ユニットを着脱作業する面側の柱の少なくとも一本が着脱自在に構成されていることを特徴とするものである。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
接地部に接地された系統電源から電力の供給を受けて、供給された電力を送電コイルから受電装置の受電コイルへ非接触で送電する非接触送電装置であって、
前記送電コイルの一方端に第１キャパシタが直列に接続されるとともに、前記送電コイルの他方端に第２キャパシタが直列に接続されて構成されるＬＣ共振部と、
電力経路における所定の検出部位の地絡抵抗の大きさを示す電圧信号を生成する信号生成部と、
前記信号生成部により生成された前記電圧信号を用いて、前記送電コイルの地絡の有無を判定する判定部とを備え、
前記検出部位は、前記送電コイルと前記第１キャパシタ又は前記第２キャパシタとの間にあり、
前記信号生成部は、インピーダンス素子と、前記接地部に電気的に接続される電圧印加回路とが互いに直列に接続されて構成され、
前記電圧印加回路が前記インピーダンス素子を介して前記検出部位に所定の電圧を印加することによって前記電圧信号が生成される、非接触送電装置。
【請求項２】
前記検出部位と前記インピーダンス素子との間にはスイッチが設けられており、
前記送電コイルから前記受電装置の前記受電コイルへ非接触で送電していない非作動時において、前記スイッチを導通状態とする、請求項１に記載の非接触送電装置。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
通信接続を行う先の外部の通信機器の制御プログラムに依存した第１の仕様に従って通信を行う第１の通信規格と、当該制御プログラムに依存しない第２の仕様に従って通信を行う第２の通信規格とにより通信が可能な通信部と、
通信動作を制御する制御部と、
を備え、
前記制御部は、
前記第２の通信規格により前記外部の通信機器の前記制御プログラムの情報を取得し、
取得された情報に基づいて前記第１の仕様の設定を行い、
前記第１の通信規格により前記外部の通信機器との間で、設定された前記第１の仕様に応じた通信接続を行う
ことを特徴とする電子機器。
【請求項２】
前記第２の通信規格は、前記第１の通信規格よりも低消費電力の通信規格であることを特徴とする請求項１記載の電子機器。
【請求項３】
第１の通信規格であるＢｌｕｅｔｏｏｔｈ  Ｃｌａｓｓｉｃと、第２の通信規格であるＢｌｕｅｔｏｏｔｈ  Ｌｏｗ  Ｅｎｅｒｇｙと、により通信が可能な通信部と、
通信動作を制御する制御部と、
を備え、
前記制御部は、
前記第２の通信規格により外部の通信機器の制御プログラムの情報を取得し、
取得された情報に基づいて、前記制御プログラムに依存した第１の仕様の設定を行い、
前記第１の通信規格により前記外部の通信機器との間で、設定された前記第１の仕様に応じた通信接続を行う
ことを特徴とする電子機器。
【請求項４】
前記第２の通信規格は、継続的な通信接続に用いられていることを特徴とする請求項１〜３のいずれかに一項に記載の電子機器。
【請求項５】
前記制御部は、前記第２の通信規格による通信において、前記第１の仕様に係るデータを取得可能であることを特徴とする請求項１〜４のいずれか一項に記載の電子機器。
【請求項６】
取得された前記制御プログラムの情報と前記外部の通信機器の識別情報とを対応付けて記憶する記憶部を備えることを特徴とする請求項１〜５のいずれか一項に記載の電子機器。
【請求項７】
前記第１の仕様の設定は、当該第１の仕様の設定検索要求に対する応答用データに対してなされることを特徴とする請求項１〜６のいずれか一項に記載の電子機器。
【請求項８】
前記第１の仕様は、前記通信機器との間で仮想シリアルポートを用いた通信を行うためのものであることを特徴とする請求項１〜７のいずれか一項に記載の電子機器。
【請求項９】
請求項１〜８のいずれか一項に記載の電子機器と、
当該電子機器との間で通信を行う通信機器と、
からなる通信システム。
【請求項１０】
自機の制御プログラムに依存した第１の仕様に従って通信を行う第１の通信規格と、当該制御プログラムに依存しない第２の仕様に従って通信を行う第２の通信規格とにより通信が可能な通信部と、
通信動作を制御する制御部と、
を備え、
前記制御部は、
外部の通信機器から前記第２の通信規格により自機の動作制御を行っている制御プログラムの情報を要求された場合に、当該制御プログラムの情報を前記第２の通信規格により送信する
ことを特徴とする電子機器。
【請求項１１】
第１の通信規格であるＢｌｕｅｔｏｏｔｈ  Ｃｌａｓｓｉｃと、第２の通信規格であるＢｌｕｅｔｏｏｔｈ  Ｌｏｗ  Ｅｎｅｒｇｙと、により通信が可能な通信部と、
通信動作を制御する制御部と、
を備え、
前記制御部は、
外部の通信機器から前記第２の通信規格により自機の動作制御を行っている制御プログラムの情報を要求された場合に、当該制御プログラムの情報を前記第２の通信規格により送信する
ことを特徴とする電子機器。
【請求項１２】
通信接続を行う先の外部の通信機器の制御プログラムに依存した第１の仕様に従って通信を行う第１の通信規格と、当該制御プログラムに依存しない第２の仕様に従って通信を行う第２の通信規格とにより通信が可能な通信部を備える電子機器のコンピュータを、
前記第２の通信規格により前記外部の通信機器の前記制御プログラムの情報を取得し、
取得された情報に基づいて前記第１の仕様の設定を行い、
前記第１の通信規格により前記外部の通信機器との間で、設定された前記第１の仕様に応じた通信接続を行う通信制御手段として機能させることを特徴とするプログラム。
【請求項１３】
第１の通信規格であるＢｌｕｅｔｏｏｔｈ  Ｃｌａｓｓｉｃと、第２の通信規格であるＢｌｕｅｔｏｏｔｈ  Ｌｏｗ  Ｅｎｅｒｇｙと、により通信が可能な通信部を備える電子機器のコンピュータを、
前記第２の通信規格により外部の通信機器の制御プログラムの情報を取得し、
取得された情報に基づいて、前記外部の通信機器の制御プログラムに依存した第１の仕様の設定を行い、
前記第１の通信規格により前記外部の通信機器との間で、設定された前記第１の仕様に応じた通信接続を行う通信制御手段として機能させることを特徴とするプログラム。